(57)【特許請求の範囲】
【請求項１】
通信網との間で第１の無線回線を介して通信を行う第１の無線通信手段と、
情報を記憶する機能と無線通信機能とを備える外部記憶ユニットとの間で、前記第１の無線通信路とは異なる第２の無線通信路を介して通信を行う第２の無線通信手段と、
前記第１の無線通信手段により受信された情報を、前記第２の無線通信手段から前記第２の無線通信路を介して前記外部記憶ユニットへ転送して記憶させる情報転送制御手段と
を具備し、
前記情報転送制御手段は、
前記情報の受信中に、前記外部記憶ユニットが情報を記憶可能な状態にあるか否かを判定する判定手段と、
この判定手段により前記外部記憶ユニットが情報を記憶可能な状態に無いと判定された場合に、第１の無線通信手段により受信された情報及び第１の無線通信手段から送信する情報の少なくとも一方を内部メモリに一時記憶し、その後前記外部記憶ユニットが情報を記憶可能な状態になったと判定された場合に、前記内部メモリに記憶された情報を前記第２の無線通信手段から前記外部記憶ユニットへ転送し記憶させる手段と
を備えることを特徴とする移動無線端末。
【請求項２】
前記情報転送制御手段は、前記第１の無線通信手段により受信された情報及び第１の無線通信手段から送信する情報の少なくとも一方を内部メモリに記憶し、この内部メモリへの前記情報の記憶を行えなくなった場合に、前記情報を前記第２の無線通信手段から前記第２の無線通信路を介して前記外部記憶ユニットへ転送して記憶させる機能を備えることを特徴とする請求項１記載の移動無線端末。
【請求項３】
前記情報転送制御手段は、
通信網との間に同時に複数の第１の無線通信路を設定する通信路設定制御手段と、
この通信路設定制御手段により設定された第１の無線通信路の一つを使用して前記通信網との間で第１の通信を実行している最中に、他の第１の無線通信路を介して前記通信網から受信した情報及び当該第１の無線通信路へ送信する情報の少なくとも一方を、前記第２の無線通信路を介して前記外部記憶ユニットへ転送し記憶させる手段と
を備えることを特徴とする請求項１記載の移動無線端末。
【請求項４】
請求項１記載の移動無線端末と共に使用される外部記憶ユニットであって、
前記移動無線端末の間で前記第２の無線通信路を介して通信を行う無線通信手段と、
自己の外部記憶ユニットの状態が情報を記憶可能な状態にあるか否かを検出し、その検出結果を前記判定手段の判定のために前記第２の無線通信路を介して前記移動通信端末へ送信する手段と、
前記移動通信端末から前記第２の無線通信路を介して転送された情報を前記無線通信手段を用いて受信する手段と、
前記受信された情報を記憶媒体に記憶させる手段と
を具備することを特徴する外部記憶ユニット。
【発明の詳細な説明】
【０００１】
【発明の属する技術分野】
この発明は、例えば携帯電話を端末やＰＨＳ（Personal Handyphone System）端末等の移動無線端末と、この移動無線端末と共に使用される外部記憶ユニットに関する。
【０００２】
【従来の技術】
近年、携帯電話端末やＰＨＳ端末などの移動無線端末が急速に普及している。そして、最近この種の装置では種々の情報を記憶させることができるようになっている。例えば、ＷＷＷ（Wold Wide Web）から画像情報や音楽情報をダウンロードして、これらの情報を端末内の記憶媒体に記憶させることが一般的に行われている。
【０００３】
ところで、この様な機能を有する移動無線端末では、ダウンロードした情報を端末内に設けられたＲＡＭなどの記憶媒体に記憶させるようにしているが、ダウンロードする情報量が多くなると端末内の記憶媒体だけでは容量が不足して記憶できなくなることがある。
【０００４】
そこで、端末に外部記憶媒体を収容又は接続するためのスロット或いは端子を設け、このスロット又は端子に外部記憶媒体を装着するか又は接続して、この外部記憶媒体にダウンロード情報を記憶させることが考えられている。
【０００５】
【発明が解決しようとする課題】
しかし、このような構成では、端末に外部記憶媒体用のスロットや端子を設ける必要があり、またスロットに外部記憶媒体を装着するものでは端末内に外部記憶媒体を収容するスペースも確保しなければならないため、端末の大型化と重量化、さらにはコストアップを招く欠点があった。
【０００６】
この発明は上記事情に着目してなされたもので、その目的とするところは、本体の大型化、重量化及びコストアップを生じることなく、大容量の情報を記憶することができる移動無線端末及び外部記憶ユニットを提供することにある。
【０００７】
【課題を解決するための手段】
上記目的を達成するためにこの発明は、通信網との間で第１の無線回線を介して通信を行う第１の無線通信手段と、情報を記憶する機能と無線通信機能とを備える外部記憶ユニットとの間で上記第１の無線通信路とは異なる第２の無線通信路を介して通信を行う第２の無線通信手段と、上記第１の無線通信手段により受信された情報を上記第２の無線通信手段から上記第２の無線通信路を介して前記外部記憶ユニットへ転送して記憶させる情報転送制御手段とを設ける。そして、この情報転送制御手段により、上記情報の受信中に、上記外部記憶ユニットが情報を記憶可能な状態にあるか否かを判定し、記憶可能な状態に無い場合には第１の無線通信手段により受信された情報及び第１の無線通信手段から送信する情報の少なくとも一方を内部メモリに一時記憶し、その後外部記憶ユニットが情報を記憶可能な状態になったと判定された場合に、上記内部メモリに記憶された情報を上記第２の無線通信手段から上記外部記憶ユニットへ転送し記憶させるようにしたものである。
【０００８】
具体的には、情報転送制御手段において、第１の無線通信手段により受信された情報及び第１の無線通信路手段から送信する情報の少なくとも一方を内部メモリに記憶し、この内部メモリへの前記情報の記憶を行えなくなった場合に、上記情報を上記第２の無線通信手段から上記第２の無線通信路を介して上記外部記憶ユニットへ転送し記憶させる。
【０００９】
また、上記本体において、第１の無線通信路を介して受信した情報及び第１の無線通信路へ送信する情報の少なくとも一方を、第２の無線通信路を介して上記外部記憶ユニットへ転送し記憶させ、当該外部記憶ユニットへの情報の記憶を行えなくなった場合に、第１の無線通信路を介して受信した情報及び第１の無線通信路へ送信する情報の少なくとも一方を本体の内部メモリに記憶させる構成とする。
【００１１】
したがってこの発明によれば、本体において記憶すべき情報は、第２の無線通信路を介して外部記憶ユニットに転送されて記憶されるため、例えばインターネットのＷＷＷからダウンロードした大容量の情報を記憶することが可能となり、しかも本体には外部記憶ユニットを装着するためのスロットや収容スペースを設ける必要がなくなるため、本体の小型軽量化を維持すると共に安価な本体を提供することが可能となる。
【００１２】
またこの発明は、情報転送制御手段が通信網との間に同時に複数の第１の無線通信路を設定し通信行う、いわゆるマルチコール機能を備えている場合に、上記複数の第１の無線通信路の一つを使用して通信網との間で第１の通信を実行している最中に、他の第１の無線通信路を介して通信網から受信した情報及び当該第１の無線通信路へ送信する情報の少なくとも一方を、上記第２の無線通信路を介して上記外部記憶ユニットへ転送して記憶させる。
【００１３】
このように構成することで、マルチコール機能を利用して、例えば通話を中止或いは中断することなく、ダウンロード情報を効率良く外部記憶ユニットに記憶させることができる。
【００２０】
【発明の実施の形態】
（第１の実施形態）
この発明に係わる第１の実施形態は、携帯電話機とは別に外部記憶ユニットとしてのメモリカード・ユニットを設け、これら携帯電話機とメモリカード・ユニットとの間で、ＢＴ（Blue Tooth）などの小さな送信電力を使用する無線通信手段を使用して、携帯電話機の送受信情報や送受信に使用する電話帳などの通信管理情報を転送し、メモリカード・ユニットに記憶させるようにしたものである。
【００２１】
図１は、この第１の実施形態に係わる移動無線端末を使用した移動通信システムの概略構成図である。
移動無線端末は、携帯電話機ＭＳと、この携帯電話機ＭＳとの間でＢＴ用の無線回線を介して無線通信を行うメモリカード・ユニットＭＣＵとから構成される。携帯電話機ＭＳは、移動通信システム用の無線回線を介して基地局ＢＳに接続される。この基地局ＢＳは、図示しない移動交換装置や、有線電話網及びインターネット等の有線通信網を介してサーバＳＶに接続される。サーバＳＶには複数のデータ蓄積装置ＳＴが接続されている。
【００２２】
そして、携帯電話機ＭＳにおいてサーバＳＶに対する発呼が行われると、この発呼元の携帯電話機ＭＳと基地局ＢＳとの間で無線接続手順が実行されて無線通信リンクが設定され、さらにこの基地局ＢＳから移動交換装置や有線通信網を介してサーバＳＶに接続される。そして、この状態でサーバＳＶから送られるメニューに従い、携帯電話機ＭＳにおいて利用者がダウンロードを希望する情報を指定すると、サーバＳＶによりデータ蓄積装置ＳＴから該当する情報が読み出され、この情報が有線通信網、移動交換装置及び基地局ＢＳをそれぞれ介して携帯電話機ＭＳに転送される。また、上記情報は携帯電話機ＭＳからＢＴ用の無線回線を介してメモリカード・ユニットＭＣＵに転送されて記憶される。
【００２３】
さて、携帯電話機ＭＳ及びメモリカード・ユニットＭＣＵは次のように構成される。
【００２４】
先ず、携帯電話機ＭＳの構成について説明する。図２はその外観を示すもので、（ａ）は正面図、（ｂ）は側面図、（ｃ）は背面図である。
この携帯電話機ＭＳは、テレビジョン電話通信機能を有するもので、その筐体前面パネルには受話器としてのスピーカ３２、液晶表示器（ＬＣＤ）３４、キー入力部３５及び送話器としてのマイクロホン３１が配設されている。また筐体上部には、伸縮可能なアンテナ１１及びカメラ３３が取着されている。このカメラ３３は、ＣＭＯＳ又はＣＣＤ等の固体撮像素子を採用したもので、静止画像又は動画像を撮像可能である。さらに筐体背面部には、電源部用の装着部が設けられており、この装着部にはバッテリパックを構成する電源部４が着脱自在に装着される。
【００２５】
また、携帯電話機ＭＳの回路は次のように構成される。図３はその構成を示す回路ブロック図である。
この携帯電話機ＭＳは、無線部１と、ベースバンド部２Ａと、入出力部３Ａと、電源部４と、ＢＴ無線部５とから構成される。
【００２６】
同図において、基地局ＢＳから移動通信システム用の無線回線を介して到来した無線周波信号は、アンテナ１１で受信されたのちアンテナ共用器（ＤＵＰ）１２を介して受信回路（ＲＸ）１３に入力される。受信回路１３は、高周波増幅器、周波数変換器及び復調器を備える。そして、上記無線信号を低雑音増幅器で低雑音増幅したのち、周波数変換器において周波数シンセサイザ（ＳＹＮ）１４から発生された受信局部発振信号とミキシングして受信中間周波信号又は受信ベースバンド信号に周波数変換し、その出力信号を復調器でディジタル復調する。復調方式としては、例えばＱＰＳＫ方式に対応した直交復調方式が用いられる。なお、上記周波数シンセサイザ１４から発生される受信局部発振信号周波数は、ベースバンド部２Ａに設けられた主制御部２１から指示される。
【００２７】
上記復調器から出力された復調信号はベースバンド部２Ａに入力される。ベースバンド部２Ａは、主制御部２１と、多重分離部２２と、音声符号復号部（以後音声コーデックと呼称する）２３と、マルチメディア処理部２４と、ＬＣＤ制御部２５とを備えている。
【００２８】
上記復調信号は、主制御部２１において制御情報であるかマルチメディア情報であるかが識別され、マルチメディア情報であれば多重分離部２２に供給されてここで音声データと画像データとに分離される。そして、音声データは音声コーデック２３に供給されてここで音声復号され、これにより再生された音声信号は入出力部３Ａのスピーカ３２から拡声出力される。これに対し画像データは、マルチメディア処理部２４に供給されてここで画像復号処理され、これにより再生された画像信号はＬＣＤ制御部２５を介して入出力部３ＡのＬＣＤ３４に供給され表示される。
【００２９】
なお、上記受信画像データは必要に応じて主制御部２１内のＲＡＭに格納される。またＬＣＤ３４には、主制御部２１から出力された自装置の動作状態を表す種々情報、例えば電話帳や受信電界強度検出値、バッテリの残量なども表示される。
【００３０】
一方、入出力部３Ａのマイクロホン３１から出力されたユーザの送話音声信号は、ベースバンド部２Ａの音声コーデック２３に入力され、ここで音声符号化されたのち多重分離部２２に入力される。またカメラ（ＣＡＭ）３３から出力された画像信号は、ベースバンド部２Ａのマルチメディア処理部２４に入力され、ここで画像符号化処理が施されたのち上記多重分離部２２に入力される。多重分離部２２では、上記符号化された音声データと画像データとが所定のフォーマットで多重化され、この多重化された送信データは主制御部２１から無線部１の送信回路（ＴＸ）１５に入力される。
【００３１】
送信回路１５は、変調器、周波数変換器及び送信電力増幅器を備える。上記送信データは、変調器でディジタル変調されたのち、周波数変換器により周波数シンセサイザ１４から発生された送信局部発振信号とミキシングされて無線周波信号に周波数変換される。変調方式としては、ＱＰＳＫ方式が用いられる。そして、この生成された送信無線周波信号は、送信電力増幅器で所定の送信レベルに増幅されたのち、アンテナ共用器１２を介してアンテナ１１に供給され、このアンテナ１１から図示しない基地局に向け送信される。
【００３２】
なお、電源部４には、リチウムイオン電池等のバッテリ４１と、このバッテリ４１を充電するための充電回路４２と、電圧生成回路（ＰＳ）４３とが設けられている。電圧生成回路４３は、例えばＤＣ／ＤＣコンバータからなり、バッテリ４１の出力電圧をもとに所定の電源電圧Ｖccを生成する。
【００３３】
また入出力部４には、操作時及び通信時にＬＣＤ３４及びキー入力部３５を照明するための照明器３６が設けられている。この照明器３６は、例えばバックライト又はイルミネーションと呼ばれる。
【００３４】
ところで、ＢＴ無線部５はＢＴ無線回路５０とそのアンテナ５１とから構成される。ＢＴ無線回路５０は、ＢＴにより規定された無線通信方式に従い後述するメモリカード・ユニットＭＣＵとの間で情報の無線伝送を行う。
【００３５】
また主制御部２１は、マイクロプロセッサ、ＲＯＭ及びＲＡＭなどからなる内部メモリを備えたもので、無線チャネルの接続制御や通信リンク確立後の通信制御等、通常の制御機能に加えて、この発明に係わる制御機能として、ダウンロード制御手段２１ａと、ＢＴ転送制御手段２１ｂとを備えている。
【００３６】
ダウンロード制御手段２１ａは、キー入力部３５から入力された情報のダウンロード要求に従いサーバＳＶに対し情報のダウンロード要求を送出し、これによりサーバＳＶから伝送された情報を受信して内部メモリに一時記憶する。
【００３７】
ＢＴ転送制御手段２１ｂは、上記ダウンロード制御中に内部メモリが一杯になるごとにＢＴ無線部５を動作させ、当該内部メモリからダウンロード情報を読み出してこの情報をＢＴ無線部５からメモリカード・ユニットＭＣＵへ向け送信し記憶させる。
【００３８】
一方、メモリカード・ユニットＭＣＵは次のように構成される。図４はその外観を示すもので、（ａ）は正面図、（ｂ）は側面図、（ｃ）は背面図、（ｄ）は上面図である。
メモリカード・ユニットＭＣＵ内にはメモリカード装着用のスロットが設けてある。また、上面部にはメモリカード挿入口８１及び取り出しボタン８２が設けてあり、メモリカード１０はこのメモリカード挿入口から挿入されて上記スロットに装着される。またこの装着されたメモリカード１０は、取り出しボタン８２の押下によりメモリカード挿入口８１からユニットの外へ排出される。
【００３９】
また、メモリカード・ユニットＭＣＵの下面端部には、ＢＴ用のアンテナ６１が設けられている。なお、ユニット背面部には電源部９としての装着部が設けられ、この装着部９に電源部９としてのバッテリパックが装着される。
【００４０】
また、メモリカード・ユニットＭＣＵの回路は次のように構成される。図５はその構成を示す回路ブロック図である。
すなわち、このメモリカード・ユニットＭＣＵは、ＢＴ無線回路６２と、そのアンテナ６１と、ベースバンド部７Ａと、電源部９とから構成される。ＢＴ無線回路６２は、ＢＴで規定された無線通信方式に従い、前記携帯電話機ＭＳとの間で無線通信を行う。
【００４１】
ベースバンド部７Ａは、主制御部７１と、メモリカード・インタフェース部（メモリカードＩ／Ｆ）７２と、メモリカード検出部７３とを備えている。メモリカード検出部７３は、スロットにメモリカード６が装着されているか否かを検出する。メモリカードＩ／Ｆ７２は、スロットに装着されたメモリカード６に対する情報の書き込み及び読み出しを行う。
【００４２】
主制御部７１はマイクロプロセッサと、ＲＯＭ及びＲＡＭとを備え、その制御機能として、ＢＴ通信制御手段と、メモリカード・インタフェース（Ｉ／Ｆ）制御手段と、メモリカードアクセス制御手段とを備えている。
【００４３】
ＢＴ通信制御手段は、上記ＢＴ無線回路６２を制御して、携帯電話機ＭＳとの間のダウンロード情報の送受信動作を制御する。メモリカードＩ／Ｆ制御手段は、メモリカード検出部７３の検出出力に基づいてメモリカード６の装着状態を判定し、メモリカード６が装着された場合にメモリカードＩ／Ｆ７２のドライバをアクティブ状態に設定する。
【００４４】
メモリカードアクセス制御手段２１ｂは、スロットに装着されたメモリカード６に対するダウンロード情報の書き込み及び読み出しを制御するもので、上記ＢＴ無線回路６２により受信されたダウンロード情報をメモリカードＩ／Ｆ７２を介してメモリカード６に書き込む。また、携帯電話機ＭＳから記憶情報の読み出し要求が到来した場合に、上記メモリカードＩ／Ｆ７２を介してメモリカード６から記憶情報を読み出す。
【００４５】
このような構成であるから、端末利用者は、ＷＷＷの情報を取得する際に、先ずメモリカード・ユニットＭＣＵのスロットにメモリカード６を装着する。そうすると、このメモリカード６の装着がメモリカード検出部７３により検出され、この検出出力を受けて主制御部７１はメモリカードＩ／Ｆ７２をアクティブ状態に設定する。
【００４６】
そして、この状態で利用者は、携帯電話機ＭＳにおいてキー入力部３５を操作してＷＷＷのサーバＳＶに対し発呼する。そしてこの発呼に対しサーバＳＶとの間に通信リンクが確立され、サーバＳＶから送られるメニューに従い利用者が所望の情報の送信要求を送信すると、サーバＳＶはデータ蓄積装置ＳＴから該当する情報を検索してこの情報を携帯電話機ＭＳへ送信する。この情報は、インターネット及び加入電話網などの有線通信網、移動交換装置及び基地局ＢＳをそれぞれ介して携帯電話機ＭＳに転送される。
【００４７】
さて、上記サーバＳＶとの間に通信リンクが確立されると、携帯電話機ＭＳの主制御部２１は先ずステップ５ａにより、ＢＴ無線部５を介してメモリカード・ユニットＭＣＵに対しメモリカードの状態を問い合わせる。この問い合わせに対しメモリカード・ユニットＭＣＵの主制御部７１は、メモリカード６の装着の有無及びその空き容量を検出し、その検出結果をＢＴ無線回路６２から携帯電話機ＭＳへ返送する。
【００４８】
携帯電話機ＭＳの主制御部２１は、メモリカード・ユニットＭＣＵから返送されたメモリカード６の状態の検出結果に基づいて、メモリカード６が装着されており、かつダウンロードした情報を記憶可能な容量があるか否かを判定する。そして、この条件を満足していると、サーバＳＶから到来するダウンロード情報をステップ５ｂで受信して内部メモリに一時記憶する。またこのとき、ステップ５ｃで情報のダウンロードが完了したか否かを監視しながら、ステップ５ｆにおいて内部メモリが一杯になったか否かを判定する。
【００４９】
そして、ダウンロード中の内部メモリが一杯になると、ステップ５ｇにおいて、上記内部メモリに一時記憶されているダウンロード情報を読み出し、この情報をＢＴ無線部５からメモリカード・ユニットＭＣＵに向け送信する。これに対しメモリカード・ユニットＭＣＵの主制御部７１は、ＢＴ無線回路６２により上記情報を受信すると、この受信したダウンロード情報をメモリカードＩ／Ｆ７２を介してメモリカード６に記憶させる。
【００５０】
携帯電話機ＭＳの主制御部２１は、上記内部メモリに記憶されているダウンロード情報の転送を終了すると、ステップ５ｈで内部メモリをクリアする。以後、内部メモリが一杯になるごとに、上記ステップ５ｂからステップ５ｈによるダウンロード情報の受信及びメモリカード６への転送制御を繰り返す。
【００５１】
一方、上記ステップ５ｃでサーバＳＶからの情報のダウンロードが終了したと判定すると、携帯電話機ＭＳの主制御部２１はステップ５ｄに移行して、ここで上記内部メモリに記憶されたダウンロード情報を読み出し、この情報をＢＴ無線部５からメモリカード・ユニットＭＣＵに向け送信する。これに対しメモリカード・ユニットＭＣＵの主制御部７１は、ＢＴ無線回路６２により上記情報を受信すると、この受信したダウンロード情報をメモリカードＩ／Ｆ７２を介してメモリカード６に記憶させる。携帯電話機ＭＳの主制御部２１は、上記ダウンロード情報の転送を終了すると、ステップ５ｅで内部メモリをクリアし、通信リンクを開放する処理を実行する。
【００５２】
なお、ステップ５ａにおいて、メモリカード・ユニットＭＣＵにメモリカード６が未装着だったり、メモリカード６は装着されていても当該カード６の空き容量が足りないと判定した場合には、携帯電話機ＭＳの主制御部２１はステップ５ｉに移行してＬＣＤ３４にダウンロードできない旨のメッセージを表示し、通信リンクを開放する処理を実行する。
【００５３】
かくして、サーバＳＶからの情報のダウンロードがなされる。
なお、メモリカード６が未装着だったり、メモリカード６の空き容量が足りないと判定した場合でも、携帯電話機ＭＳの内部メモリの空き容量が情報のダウンロード予定量に比べて大きい場合には、情報のダウンロードを実行してこの情報を内部メモリに記憶する。そして、その後メモリカード６が装着され、かつ当該メモリカード６にダウンロード情報を記憶可能な容量があることが確認された時点で、上記内部メモリに記憶されたダウンロード情報を読み出し、この情報をＢＴ無線部５からメモリカード・ユニットＭＣＵへ転送して、メモリカード６に記憶させることも可能である。
【００５４】
また、情報のダウンロード中にメモリカード６の空き容量が足りなくなり、その旨がメモリカード・ユニットＭＣＵから携帯電話機ＭＳに通知された場合には、携帯電話機ＭＳの主制御部２１は内部メモリの空き容量を判定する。そして、空き容量が十分にある場合には、ダウンロード情報の受信を継続してこの受信した情報を内部メモリに記憶する。そして、メモリカード・ユニットＭＣＵに新たなメモリカード６が装着され、かつ当該メモリカード６にダウンロード情報を記憶可能な容量があることが確認された時点で、上記内部メモリに記憶されたダウンロード情報を読み出し、この情報をＢＴ無線部５からメモリカード・ユニットＭＣＵへ転送して、メモリカード６に記憶させることも可能である。
【００５５】
さらに、メモリカード６に記憶させる情報としては、サーバＳＶからダウンロードした情報に限らない。例えば、携帯電話機ＭＳにおいてカメラ３３により撮像された画像情報をＢＴ無線部５からメモリカード・ユニットＭＣＵへ無線転送してメモリカード６に記憶させる。そして、以後通信相手との通信時に、上記画像情報をメモリカード６から読み出してＢＴ無線回路６２によりメモリカード・ユニットＭＣＵから携帯電話機ＭＳへ無線転送し、携帯電話機ＭＳにおいて送話音声データと多重して通信相手へ送信することも可能である。
【００５６】
また、発着呼時に、メモリカード６に記憶してある電話帳情報を選択的にメモリカード・ユニットＭＣＵから携帯電話機ＭＳにＢＴにより無線転送し、この情報をもとに発信相手に対する発信処理を行ったり、着呼時の発信者照合などを行うことも可能である。
【００５７】
以上述べたように第１の実施形態では、携帯電話機ＭＳとは別にメモリカード用のスロットを備えたメモリカード・ユニットＭＣを設け、携帯電話機ＭＳ及びこのメモリカード・ユニットＭＣＵにそれぞれＢＴ無線通信機能を設ける。そして、サーバＳＶからダウンロードした情報を携帯電話機ＭＳで受信した後、ＢＴ無線通信機能を使用してメモリカード・ユニットＭＣＵに転送しメモリカードに６に記憶させるようにしている。
【００５８】
したがって、ダウンロード情報はメモリカード６に転送されて記憶されるため、例えば画像データを含む大容量のダウンロード情報を受信することが可能となる。しかも、携帯電話機ＭＳにはメモリカードを装着するためのスロットや収容スペースを設ける必要がなくなるため、携帯電話機ＭＳの小型軽量化を維持すると共に、安価な携帯電話機ＭＳを提供することが可能となる。
【００５９】
（第２の実施形態）
この発明に係わる第２の実施形態は、携帯電話機とは別に外部記憶ユニットとしてのメモリカード・ユニットを設け、これら携帯電話機とメモリカード・ユニットとの間で、ＢＴ無線通信手段を使用して携帯電話機の送受信情報や送受信に使用する電話帳などの通信管理情報を転送して、メモリカード・ユニットに記憶させるようにする。また、メモリカード・ユニットに、メモリカードのインタフェース機能に加えて、表示器及びカメラを設け、カメラにより撮像された画像情報をメモリカードに記憶したり、ＢＴ無線通信手段を用いて携帯電話機へ転送して、この携帯電話機から通信相手端末へ送信するようにする。さらに、上記カメラにより撮像された画像情報や携帯電話機から転送されてメモリカードに記憶された情報を上記表示器に表示するようにしたものである。
【００６０】
図７は、この第２の実施形態に係わる携帯電話機ＭＳの外観を示すもので、（ａ）は正面図、（ｂ）は側面図、（ｃ）は背面図である。また、図８はこの携帯電話機ＭＳの回路構成を示すブロック図である。なお、同図において前記図２及び図３と同一部分には同一符号を付して詳しい説明は省略する。
【００６１】
第２の実施形態に係わる携帯電話機ＭＳは、図２及び図３に示した携帯電話機ＭＳの構成から、カメラ３３と画像処理用のマルチメディア処理部２４を取り外して、音声通信に必要な構成のみを備えたものである。
【００６２】
一方、メモリカード・ユニットＭＣＵは次のように構成される。図９はその外観を示すもので、（ａ）は正面図、（ｂ）は側面図、（ｃ）は背面図、（ｄ）は上面図である。また図１０は、メモリカード・ユニットＭＣＵの回路構成を示す回路ブロック図である。なお、同図においても前記図４及び図５と同一部分には同一符号を付して詳しい説明は省略する。
【００６３】
メモリカード・ユニットＭＣＵの入出力部８Ｂには、メモリカード６用のスロットに加えて、カメラ８３と、ＬＣＤ８４と、キー入力部８５が新たに設けてある。カメラ３３は、ＣＭＯＳ又はＣＣＤ等の固体撮像素子を採用したもので、静止画像又は動画像を撮像可能である。
【００６４】
またベースバンド部７Ｂには、主制御部７１、メモリカードＩ／Ｆ７２及びメモリカード検出部７３に加えて、マルチメディア処理部７４と、ＬＣＤ制御部７５が新たに設けてある。
【００６５】
マルチメディア処理部７４は、カメラ８３から出力された画像データに画像符号化処理を施して主制御部７１に供給すると共に、携帯電話機ＭＳから受信された符号化画像データ又はメモリカード６から読み出された符号化画像データに対し画像復号処理を施してＬＣＤ制御部７５に供給する。ＬＣＤ制御部７５は、上記マルチメディア処理部７４から供給された画像データ及び主制御部７１から供給された制御データを編集してＬＣＤ８４に表示させる。
【００６６】
主制御部７１は、マイクロプロセッサと、ＲＯＭ及びＲＡＭを有する内部メモリとを備え、その制御機能としては、携帯電話機ＭＳから到来した情報をメモリカード６に記憶させる機能と、メモリカード６に記憶された情報を読み出してＬＣＤ８４に表示させる機能、カメラ８３により撮像された画像情報をメモリカード６に記憶させると共に、ＢＴ無線回路６２を使用して携帯電話機ＭＳへ送信する機能をそれぞれ備えている。
【００６７】
また、以上の各制御機能を実現するためのプログラムは、主制御部７１内のＲＯＭに予め記憶しておくようにしてもよいが、メモリカード６が例えば６４Ｍバイト以上といった大きな記憶容量を有する場合には、このメモリカード６に予め記憶しておいてもよい。この場合、利用者は希望する制御機能を実現するプログラムが記憶されたメモリカード６を購入し、これをスロットに装着する。主制御部７１は、このメモリカード６からプログラムを読み込んで上記各種制御機能を実行する。
【００６８】
なお、電源部９は、携帯電話機ＭＳの電源部４と同様、バッテリ９１と、その充電回路９２と、バッテリ９１の出力電圧をもとに動作電圧Ｖccを生成してユニット内の各回路に供給する電圧生成回路９３とから構成される。
【００６９】
このような構成であるから、メモリカード・ユニットＭＣＵにおいて、利用者がキー入力部８５においてメモリカード６に記憶された情報を表示させるための操作を行うと、主制御部７１はメモリカード６から該当する情報をメモリカードＩ／Ｆ７２を介して読み出し、この情報が画像データであるかテキストデータであるかを判定する。そして、画像データであればマルチメディア処理部７４に供給し、テキストデータであればＬＣＤ制御部７５に供給する。画像データは、マルチメディア処理部７４で復号されてＬＣＤ制御部７５に供給され、ここで上記テキストデータと編集されてＬＣＤ８４に表示される。
【００７０】
したがって、利用者は例えばサーバＳＶからダウンロードしてメモリカード６に記憶しておいた情報を、携帯電話機ＭＳを操作することなく、メモリカード・ユニットＭＣＵのキー入力部８５を操作することで、随時ＬＣＤ８４に表示して確認することが可能となる。
【００７１】
また、携帯電話機ＭＳにおいて、ある相手先と音声通信を行っている最中に、利用者が携帯電話機ＭＳのキー入力部３５において、予め撮像してメモリカード６に記憶してある画像情報を送信するための操作を行ったとする。そうすると、その要求が携帯電話機ＭＳからメモリカード・ユニットＭＣＵに送られる。この要求を受けると、メモリカード・ユニットＭＣＵの主制御部７１はメモリカード６から画像情報を読み出し、この画像情報をＢＴ無線回路６２から携帯電話機ＭＳへ送信する。携帯電話機ＭＳは、上記メモリカード・ユニットＭＣＵから送られた情報をＢＴ無線部５で受信したのち、主制御部２１から多重分離部２２に供給する。そして、この多重分離部２２で送話音声データと多重し、この多重化情報を無線部１から基地局ＢＳに向け送信する。
【００７２】
なお、メモリカード・ユニットＭＣＵにおいて、カメラ８３で撮像された画像データを符号化した後、メモリカード６には記憶せずにそのままＢＴ無線回路６２から携帯電話機ＭＳへ送信する。そして、携帯電話機ＭＳにおいて、この画像データを内部メモリに一旦格納した後、音声データに多重化して送信することも可能である。
【００７３】
以上のように第２の実施形態によれば、メモリカード・ユニットＭＣＵに、カメラ８３とその符号化復号化処理を行うマルチメディア処理部７４、ＬＣＤ８４とその制御部７５、及びキー入力部８５を設けたことによって、例えばメモリカード６に記憶されたダウンロード情報等を、携帯電話機ＭＳを操作しなくても、メモリカード・ユニットＭＣＵの操作により随時ＬＣＤ８４に表示して確認することが可能となる。
【００７４】
また、例えば携帯電話機ＭＳを用いて音声通信を行っている最中に、メモリカード・ユニットＭＣＵを自由に動かして所望の画像を所望のアングルで撮像し、この画像データを音声データに多重して送信することも可能となる。
【００７５】
（第３の実施形態）
この発明に係わる第３の実施形態は、メモリカード・ユニットに、メモリカードのインタフェース機能に加えて、移動通信網に対する無線通信機能と、カメラと、ＬＣＤと、キー入力部とを備え、かつ音声信号の入出力機能を有するハンドセットにＢＴ無線通信機能を備える。そして、これらのメモリカード・ユニット及びＢＴ通信機能付きハンドセットとの間で、ＢＴ無線通信手段を使用して音声データ及び音声通信のための制御情報を転送するようにしたものである。
【００７６】
図１１は、この第３の実施形態に係わるＢＴ通信機能付きハンドセットの外観を示すもので、（ａ）は正面図、（ｂ）は側面図、（ｃ）は背面図である。また、図１２はこのＢＴ通信機能付きハンドセットの回路構成を示すブロック図である。なお、同図において前記図７及び図８と同一部分には同一符号を付して詳しい説明は省略する。
【００７７】
この第３の実施形態に係わるＢＴ通信機能付きハンドセットは、図７及び図８に示した携帯電話機ＭＳの構成から、移動通信システムの基地局ＢＳとの間で無線通信を行う無線部１と、画像データと音声データとの多重分離処理を行う多重分離部２２を取り外して、音声入出力に必要な構成とＢＴ無線部５のみを備えたものである。
【００７８】
一方、メモリカード・ユニットＭＣＵは次のように構成される。図１３はその外観を示すもので、（ａ）は正面図、（ｂ）は側面図、（ｃ）は背面図、（ｄ）は上面図である。また図１４は、メモリカード・ユニットＭＣＵの回路構成を示す回路ブロック図である。なお、同図において前記図９及び図１０と同一部分には同一符号を付して詳しい説明は省略する。
【００７９】
このメモリカード・ユニットＭＣＵは、独立する２系統の無線部、つまり移動通信システム用の無線部１０と、ＢＴ無線部６０とを備えている。移動通信システム用の無線部１０は、携帯電話機ＭＳに設けられる無線部１と同様に、アンテナ１０１と、アンテナ共用器（ＤＵＰ）１０２と、受信回路（ＲＸ）１０３と、周波数シンセサイザ（ＳＹＮ）１０４と、送信回路（ＴＸ）１０５とから構成される。一方ＢＴ無線部６０は、アンテナ６１と、アンテナ共用器（ＤＵＰ）６３と、受信回路（ＲＸ）６４と、周波数シンセサイザ（ＳＹＮ）６５と、送信回路（ＴＸ）６６とから構成される。
【００８０】
またベースバンド部７Ｃの主制御部７１は、マイクロプロセッサと、ＲＯＭ及びＲＡＭを有する内部メモリとを備え、その制御機能としては、サーバＳＶからダウンロードされた情報をメモリカード６に記憶させる機能と、メモリカード６に記憶された情報を読み出してＬＣＤ８４に表示させる機能、カメラ８３により撮像された画像情報をメモリカード６に記憶させると共に、無線回路１０を使用して移動通信システムへ送信する機能と、ハンドセットとの間でＢＴ無線部６０を使用して音声データを送受信する機能とをそれぞれ備えている。
【００８１】
また、以上の各制御機能を実現するためのプログラムは、主制御部７１内のＲＯＭに予め記憶しておくようにしてもよいが、メモリカード６が例えば６４Ｍバイト以上といった大きな記憶容量を有する場合には、このメモリカード６に予め記憶しておいてもよい。この場合、利用者は希望する制御機能を実現するプログラムが記憶されたメモリカード６を購入し、これをスロットに装着する。主制御部７１は、このメモリカード６からプログラムを読み込んで上記各種制御機能を実行する。
【００８２】
このような構成であるから、音声通信を行う場合には、利用者はハンドセットにおいて発呼操作を行う。そうすると、その発呼制御信号がＢＴ無線部５からメモリカード・ユニットＭＣＵに転送される。メモリカード・ユニットＭＣの主制御部７１は、上記発呼制御信号を受信すると無線部１０を介して移動通信網に対し発呼を行い、通信リンクを確立するための接続処理を実行する。そして、発呼先の端末との間に通信リンクが確立されると、以後音声通信の中継制御を実行する。
【００８３】
すなわち、ハンドセットからＢＴ無線部５，６０により伝送された送話音声データは、主制御部７１から移動通信システム用の無線部１０に送られ、この無線部１０から基地局ＢＳに向け送信される。これに対し通信相手端末から送られた受話音声データは、無線部１０で受信されたのち主制御部７１からＢＴ無線部６０へ送られ、このＢＴ無線部６０からハンドセットに向け送信される。ハンドセットでは、ＢＴ無線部５において上記メモリカード・ユニットＭＣＵから送信された受話音声テータが受信され、この受話音声データはベースバンド部２Ｃの主制御部２１を介して音声コーデック２３に入力される。そして、この音声コーデック２３で音声復号されたのち、入出力部３Ｃのスピーカ３２から拡声出力される。
【００８４】
また、上記音声通信中に画像データを送信する場合には、次のような動作が行われる。すなわち、メモリカード・ユニットＭＣＵのカメラ８３により撮像された画像データは、マルチメディア処理部７４で符号化されたのちメモリカード６に一時記憶される。この状態で、利用者がメモリカード・ユニットＭＣＵのキー入力部８５において画像データを送信するための操作を行うと、主制御部７１の制御の下にメモリカード６から画像データが読み出され、この画像データは無線部１０から送信される。この画像データの送信期間中に、送話音声データの送信は中断される。
【００８５】
なお、前記第１の実施形態の携帯電話機ＭＳと同様に、メモリカード・ユニットＭＣＵに画像データと音声データとを多重化する多重分離部を設けておけば、送話音声データの送信を中断せずに画像データを送信することは可能である。
【００８６】
さらに、サーバＳＶ等から情報をダウンロードする場合、メモリカード・ユニットＭＣＵでは次のような動作が行われる。すなわち、サーバＳＶから送信されたダウンロード情報は無線部１０で受信されたのち、ベースバンド部７Ｃの主制御部７１からメモリカードＩ／Ｆ７１に供給され、このメモリカードＩ／Ｆ７１によりメモリカード６に記憶される。
【００８７】
このメモリカード６に記憶されたダウンロード情報は、利用者の操作に応じて主制御部７１の制御の下でメモリカード６から読み出され、ＬＣＤ制御部７５を介してＬＣＤ８４に表示される。
【００８８】
以上述べたように第３の実施形態によれば、メモリカード・ユニットＭＣＵに移動通信システム用の無線部１０とその通信制御機能を備えたことにより、ＢＴ通信機能付きのハンドセットを用意するだけで携帯音声通信を行うことが可能となる。したがって、利用者は携帯電話機ＭＳを使用する場合に比べてさらに小型で軽量のハンドセットにより音声通信を行うことができる。この場合、ハンドセットを例えば腕時計型やポータブル・オーディオ機器のリモコンのようなきわめて小型かつ軽量のものにすれば、通話に際し利用者はハンドセットを手に持つ必要が無くなり、ハンズフリー性が高まる。
【００８９】
（その他の実施形態）
この発明は上記各実施形態に限定されるものではなく、例えば次のような構成も考えられる。
すなわち、移動無線端末本体がコードレス通信機能を有するＰＨＳ端末ＭＳ′である場合、このＰＨＳ端末ＭＳ′は例えば屋内とその周辺ではコードレス電話装置の親機ＱＳを介して公衆網ＮＷに接続され、また屋外ではＰＨＳ基地局ＣＳからＰＨＳ網（Ｉ′インタフェース）を介して公衆網ＮＷに接続される。
【００９０】
一方、このＰＨＳ端末ＭＳ′をそのままＰＤＣ（Personal Digital Cellular）やＧＳＭ（Global System For Mobile Communication）等の既存の携帯無線通信システムやＷ−ＣＤＭＡ（Wide band-Code Division Multiple Access）又はＣＤＭＡ2000等の次世代携帯無線通信システムに接続して携帯無線通信を行えると、さらに便利である。この要求に応えるべく、最近では例えばＰＤＣに対する通信機能とＰＨＳの通信機能の両方を一つの端末に設けた移動通信端末が出現している。しかし、この種の端末は両方の機能を一つの端末に設けているために端末の大型化や重量化、消費電力の増大を生じやすい。
【００９１】
そこで、この発明では例えば図１５に示すように、メモリカード・ユニットＭＣＵに、ＰＤＣやＧＳＭ等の既存の携帯無線通信システムやＷ−ＣＤＭＡ等の次世代携帯無線通信システム（第１の無線通信システム）に対する無線通信機能を設け、かつこのメモリカード・ユニットＭＣＵとＰＨＳ端末ＭＳ′との間をＢＴ無線通信システムにより接続する。このとき、メモリカード・ユニットＭＣＵには、ＰＤＣやＧＳＭ等の既存の携帯無線通信システムやＷ−ＣＤＭＡ等の次世代携帯無線通信システムに対する無線通信機能を実現する最小限のハードウエアを設けておき、当該無線通信機能を実現する残りの部分についてはソフトウエアで構成してこのソフトウエアはメモリカード６に予め記憶しておく。
【００９２】
そして、利用者がＰＨＳ端末ＭＳ′をそのまま用いてＰＤＣやＧＳＭ等の既存の携帯無線通信システムやＷ−ＣＤＭＡ等の次世代携帯無線通信システム利用したい場合には、これらの携帯無線通信機能を実現するソフトウエアが予め記憶されたメモリカード６を購入してメモリカード・ユニットＭＣＵに装着するか、又は通信事業者のソフトウエア・サービスセンタ等からソフトウエアをダウンロードしてメモリカード６に記憶させる。
【００９３】
このような構成であれば、利用者は自身のＰＨＳ端末ＭＳ′とメモリカード・ユニットＭＣＵとを使用し、希望する機能を実現するソフトウエアが記憶されたメモリカード６を用意するだけで、ＰＨＳ（第２の無線通信システム）ばかりでなく、ＰＤＣやＧＳＭ等の既存の携帯無線通信システムやＷ−ＣＤＭＡ等の次世代携帯無線通信システム（第１の無線通信システム）も利用することが可能となる。
【００９４】
しかも、ＰＨＳ端末ＭＳ′自体を買い換える必要が無いので利用者の費用負担は軽減される。またＰＨＳ端末ＭＳ′には、第１の無線通信システム用の機能と第２の無線通信システム用の機能の両方を設ける必要がないので、ＰＨＳ端末ＭＳ′の大型化及び重量化、消費電力の増加は生じない。
【００９５】
また、前記各実施形態では同時に１回線のみを使用する場合を例ととって説明した。しかし、Ｗ−ＣＤＭＡシステムで使用される端末のように、本体が通信網との間に同時に複数の無線通信路を設定し通信を行う、いわゆるマルチコール機能を備えている場合には、上記複数の無線通信路の一つを使用して通信網との間で例えば音声通信を実行している最中に、他の無線通信路を介して受信した画像情報をＢＴ無線通信路を介してメモリカード・ユニットへ転送してメモリカード６に記憶させるようにしてもよい。
【００９６】
さらに、前記各実施形態で説明したメモリカード６は、インターネットからダウンロードした映像データや、カメラで撮像した画像データ等の大容量データを記憶するために使用することが想定されるため、例えば６４Ｍバイト以上の記憶容量を有する大容量の記憶媒体であることが望ましいが、この発明はこれに限定されるものではない。
【００９７】
また、メモリカード６は、上記したように映像データや音楽データの記憶用として用いることを想定すると、著作権保護の観点からしてコピープロテクト可能な記憶媒体であることが望ましいが、この点についても本発明は限定されない。
【００９８】
さらに、前記各実施形態においては、携帯電話端末やＰＨＳ端末等に代表される移動無線端末を例に挙げて説明したが、各実施形態で説明した移動無線端末としての性能を具備するＰＤＡ（Personal Data Assistants）や電子手帳等に代表される携帯情報端末にも適用することは可能である。
【００９９】
その他、外部記憶ユニットの形状や構造（カード状以外にスティック状や球状、棒状でもよい）、メモリカード・ユニットの構成、移動無線端末本体の構成等についても、この発明の要旨を逸脱しない範囲で種々変形して実施できる。
【０１００】
【発明の効果】
以上詳述したようにこの発明では、通信網との間で第１の無線回線を介して通信を行う第１の無線通信手段と、情報を記憶する機能と無線通信機能とを備える外部記憶ユニットとの間で上記第１の無線通信路とは異なる第２の無線通信路を介して通信を行う第２の無線通信手段と、上記第１の無線通信手段により受信された情報を上記第２の無線通信手段から上記第２の無線通信路を介して前記外部記憶ユニットへ転送して記憶させる情報転送制御手段とを設けている。そして、この情報転送制御手段により、上記情報の受信中に、上記外部記憶ユニットが情報を記憶可能な状態にあるか否かを判定し、記憶可能な状態に無い場合には第１の無線通信手段により受信された情報及び第１の無線通信手段から送信する情報の少なくとも一方を内部メモリに一時記憶し、その後外部記憶ユニットが情報を記憶可能な状態になったと判定された場合に、上記内部メモリに記憶された情報を上記第２の無線通信手段から上記外部記憶ユニットへ転送し記憶させるようにしたものである。
【０１０１】
したがって、本体の大型化、重量化及びコストアップを生じることなく、大容量の情報を記憶することができる移動無線端末及び外部記憶ユニットを提供することができる。
【図面の簡単な説明】
【図１】  この発明の第１の実施形態に係わる移動無線端末を使用した移動通信システムの概略構成図。
【図２】  この発明の第１の実施形態に係わる携帯電話機の外観を示すもので、（ａ）は正面図、（ｂ）は側面図、（ｃ）は背面図。
【図３】  この発明の第１の実施形態に係わる携帯電話機の回路構成を示すブロック図。
【図４】  この発明の第１の実施形態に係わるメモリカード・ユニットの外観を示すもので、（ａ）は正面図、（ｂ）は側面図、（ｃ）は背面図、（ｄ）は上面図。
【図５】  この発明の第１の実施形態に係わるメモリカード・ユニットの回路構成を示すブロック図。
【図６】  図３に示した携帯電話機によるダウンロード制御及びＢＴ転送制御の手順と内容を示すフローチャート。
【図７】  この発明の第２の実施形態に係わる携帯電話機の外観を示すもので、（ａ）は正面図、（ｂ）は側面図、（ｃ）は背面図。
【図８】  この発明の第２の実施形態に係わる携帯電話機の回路構成を示すブロック図。
【図９】  この発明の第２の実施形態に係わるメモリカード・ユニットの外観を示すもので、（ａ）は正面図、（ｂ）は側面図、（ｃ）は上面図。
【図１０】  この発明の第２の実施形態に係わるメモリカード・ユニットの回路構成を示すブロック図。
【図１１】  この発明の第３の実施形態に係わる携帯電話機の外観を示すもので、（ａ）は正面図、（ｂ）は側面図、（ｃ）は背面図。
【図１２】  この発明の第３の実施形態に係わる携帯電話機の回路構成を示すブロック図。
【図１３】  この発明の第３の実施形態に係わるメモリカード・ユニットの外観を示すもので、（ａ）は正面図、（ｂ）は側面図、（ｃ）は上面図。
【図１４】  この発明の第２の実施形態に係わるメモリカード・ユニットの回路構成を示すブロック図。
【図１５】  この発明のその他の実施形態に係わる移動無線端末の用途を示す移動通信システムの概略構成図。
【符号の説明】
ＭＳ…携帯電話機
ＭＣＵ…メモリカード・ユニット
ＢＴ…基地局
ＳＶ…サーバ
ＳＴ…データ蓄積装置
１…携帯電話機の無線部
２Ａ，２Ｂ，２Ｃ，２Ｄ…携帯電話機のベースバンド部
３Ａ，３Ｂ，３Ｃ，３Ｄ…携帯電話機の入出力部
４…携帯電話機の電源部
５…携帯電話機のＢＴ無線部
６…メモリカード
７Ａ，７Ｂ，７Ｃ…メモリカード・ユニットのベースバンド部
８Ｂ，８Ｃ…メモリカード・ユニットの入出力部
９…メモリカード・ユニットの電源部
１０…メモリカード・ユニットの移動通信システム用無線部
１１，５１，６１，１０１…アンテナ
１２，５２，６３，１０２…アンテナ共用器（ＤＰＸ）
１３，５３，６４，１０３…受信回路（ＲＸ）
１４，５４，６５，１０４…周波数シンセサイザ（ＳＹＮ）
１５，５５，６６，１０５…送信回路（ＴＸ）
２１…携帯電話機の主制御部
２１ａ…ダウンロード制御手段
２１ｂ…ＢＴ転送制御手段
２２…多重分離部
２３…音声コーデック
２４，７４…マルチメディア処理部
２５，７５…ＬＣＤ制御部
３１…マイクロホン
３２…スピーカ
３３，８３…カメラ
３４，８４…液晶表示器（ＬＣＤ）
３５，８５…キー入力部
３６…照明器
４１，９１…バッテリ
４２，９２…充電回路（ＣＨＧ）
４３，９３…電圧生成回路（ＰＳ）
６０…メモリカード・ユニット用のＢＴ無線部
６１…ＢＴ無線回路
７１…メモリカード・ユニットの主制御部
８１…メモリカード挿入口
８２…取り出しボタン
【図１】
0004413352.tif 000002
【図２】
0004413352.tif 000003
【図３】
0004413352.tif 000004
【図４】
0004413352.tif 000005
【図５】
0004413352.tif 000006
【図６】
0004413352.tif 000007
【図７】
0004413352.tif 000008
【図８】
0004413352.tif 000009
【図９】
0004413352.tif 000010
【図１０】
0004413352.tif 000011
【図１１】
0004413352.tif 000012
【図１２】
0004413352.tif 000013
【図１３】
0004413352.tif 000014
【図１４】
0004413352.tif 000015
【図１５】
0004413352.tif 000016